(57)【要約】【課題】外部直流電源を用いた発電システムの設置工事において誤接続が発生しても、簡単かつ安価な構成により、内部素子の破壊や故障の発生を防止し、かつ誤接続状態を報知して確実に修復させ得る保護機能を備えたパワーコンディショナを得ること。【解決手段】入力端子部１０とコンバータ１１の入力端との間を逆流防止素子１９および電流制限素子２０の直列回路と開閉手段２１との並列回路を介して接続し、第１の電圧センサ２２と第２の電圧センサ２３とを設ける。制御手段１７は、入力端子部への外部結線接続が終了し当該パワーコンディショナの電源が投入されたとき、開閉手段を閉路させずにコンバータおよびインバータ１２を不動作状態に制御し、第１の電圧センサと第２の電圧センサの各測定値に基づき誤接続が無いと判断したとき、開閉手段を閉路させ、コンバータおよびインバータをそれぞれの変換動作へ移行させる制御を行う。【選択図】        図２
2015100250.tif 000002
【特許請求の範囲】
【請求項１】
外部直流電源の正極側出力端子および負極側出力端子と繋ぐケーブルがそれぞれ対応する端子に着脱可能に接続される入力端子部と、前記入力端子部から入力される前記外部直流電源の出力直流電力を別の値の直流電力へ変換するコンバータと、前記コンバータの出力直流電力を交流電力へ変換するインバータとを備えたパワーコンディショナにおいて、  前記入力端子部の正極側端子と前記コンバータの対応する入力端との間を接離する開閉手段であって初期状態が開路状態である開閉手段と、
前記入力端子部の正極側端子と前記コンバータの対応する入力端との間に前記開閉手段と並列に設けられた逆流防止素子および電流制限素子の直列回路と、
前記入力端子部の正極側端子と負極側端子との間に印加される電圧を計測する第１の電圧センサと、
前記コンバータから前記インバータに入力される直流電力の電圧を計測する第２の電圧センサと、
前記入力端子部への外部結線接続が終了し当該パワーコンディショナの電源が投入されたとき、前記開閉手段を閉路させずに前記コンバータおよびインバータを動作停止状態に制御し、前記第１の電圧センサが計測した電圧が直流電圧でかつその極性が正しく前記入力端子部の正極および負極の極性と一致し、同時に、前記第１の電圧センサの測定値と第２の電圧センサの測定値との電圧差が、ゼロに向かって減少する過程途中に定めた或る値以下である場合に前記開閉手段を閉路させ、前記コンバータおよびインバータを動作停止状態からそれぞれの変換動作へ移行させる制御を行う制御手段と
を備えたことを特徴とするパワーコンディショナ。
【請求項２】
前記制御手段は、
前記第１の電圧センサが計測した電圧は直流電圧であるがその極性が前記入力端子部の正極および負極の極性と一致しない場合、または、前記第１の電圧センサが計測した電圧が交流電圧である場合は、前記開閉手段を閉路させず開路状態を維持させ、同時に、当該パワーコンディショナの運転状態を報知する報知手段に異常を知らせる情報を出力させる
ことを特徴とする請求項１に記載のパワーコンディショナ。
【請求項３】
前記制御手段は、
前記報知手段に出力させる異常を知らせる情報を、前記第１の電圧センサが計測した直流電圧の極性が前記入力端子部の正極および負極の極性と一致しない場合と、前記第１の電圧センサが計測した電圧が交流電圧である場合とで区別可能に生成する
ことを特徴とする請求項２に記載のパワーコンディショナ。
【発明の詳細な説明】
【技術分野】
【０００１】
本発明は、太陽電池や燃料電池などの外部直流電源を用いた直流発電システムで用いるパワーコンディショナに関するものである。
【背景技術】
【０００２】
太陽電池や燃料電池などの外部直流電源を用いた直流発電システムとして、例えば、太陽光発電システムは、例えば住宅の屋根など建物の屋上に太陽電池モジュールを数十枚直並列に並べて設置し、出力される発電電力（直流電力）をパワーコンディショナにて交流電力へ変換し、その交流電力を住宅内の電気機器に供給するとともに、余剰分が生じた場合には、系統電源に逆潮流（電力会社に売電）することが可能である。
【０００３】
したがって、太陽光発電システムを設置する際は、屋根上に敷設した太陽電池モジュールの出力線とパワーコンディショナの直流入力端子部との配線工事、また、系統電源とパワーコンディショナの交流出力端子部との配線工事が必要である。
【０００４】
ところで、この配線工事においてパワーコンディショナ側での配線を誤ると、パワーコンディショナに破損や故障などの不具合を生じさせることがある。すなわち、直流入力端子部に交流である系統電源側の配線を接続したり、あるいは直流入力端子と太陽電池モジュール側の配線とを極性を逆に接続したりすると、パワーコンディショナ内の素子に規格値を超えた逆電圧が印加され、破損等に至ってしまうことが起こる。
【０００５】
この対策として、例えば特許文献１では、正極と負極の直流母線の負極側に、ダイオードと、半導体スイッチ駆動回路にて駆動される半導体スイッチとを直列に挿入し、逆電圧が印加される状態になった場合は半導体スイッチオフ回路によって半導体スイッチ駆動回路をオフ制御する技術が開示されている。
【先行技術文献】
【特許文献】
【０００６】
【特許文献１】国際公開第２００７／１１０９１３号
【発明の概要】
【発明が解決しようとする課題】
【０００７】
しかし、特許文献１に示された従来の技術においては、逆電圧を阻止するダイオードの他に、半導体スイッチと、その半導体スイッチを駆動するための半導体スイッチ駆動回路と、異常時に半導体スイッチ駆動回路をオフ制御するための半導体スイッチオフ回路とを必要とする。つまり、太陽光発電システムの設置工事において誤接続が発生した場合に、パワーコンディショナ内の素子の破損や故障の発生を防止するために付加する保護回路が従来の技術では複雑化し、パワーコンディショナのコストアップを招来という問題があった。
【０００８】
本発明は、上記に鑑みてなされたものであり、外部直流電源を用いた直流発電システムの設置工事において誤接続が発生しても、簡単かつ安価な構成により、内部素子の破損や故障の発生を防止し、かつ誤接続状態を報知して確実に修復させ得る保護機能を備えたパワーコンディショナを得ることを目的とする。
【課題を解決するための手段】
【０００９】
上述した課題を解決し、目的を達成するために、本発明は、外部直流電源の正極側出力端子および負極側出力端子と繋ぐケーブルがそれぞれ対応する端子に着脱可能に接続される入力端子部と、前記入力端子部から入力される前記外部直流電源の出力直流電力を別の値の直流電力へ変換するコンバータと、前記コンバータの出力直流電力を交流電力へ変換するインバータとを備えたパワーコンディショナにおいて、前記入力端子部の正極側端子と前記コンバータの対応する入力端との間を接離する開閉手段であって初期状態が開路状態である開閉手段と、前記入力端子部の正極側端子と前記コンバータの対応する入力端との間に前記開閉手段と並列に設けられた逆流防止素子および電流制限素子の直列回路と、前記入力端子部の正極側端子と負極側端子との間に印加される電圧を計測する第１の電圧センサと、前記コンバータから前記インバータに入力される直流電力の電圧を計測する第２の電圧センサと、前記入力端子部への外部結線接続が終了し当該パワーコンディショナの電源が投入されたとき、前記開閉手段を閉路させずに前記コンバータおよびインバータを動作停止状態に制御し、前記第１の電圧センサが計測した電圧が直流電圧でかつその極性が正しく前記入力端子部の正極および負極の極性と一致し、同時に、前記第１の電圧センサの測定値と第２の電圧センサの測定値との電圧差が、ゼロに向かって減少する過程途中に定めた或る値以下である場合に前記開閉手段を閉路させ、前記コンバータおよびインバータを動作停止状態からそれぞれの変換動作へ移行させる制御を行う制御手段とを備えたことを特徴とする。
【発明の効果】
【００１０】
本発明によれば、外部直流電源を用いた直流発電システムの設置工事において誤接続があっても、開閉手段を閉路させずにコンバータおよびインバータを不動作とするので、簡単かつ安価な構成により破損や故障の発生を防止できる。そして、誤接続状態をどのような誤接続が発生したかを識別できるように報知するので、作業者は迅速かつ確実に修復することができるようになるという効果を奏する。
【図面の簡単な説明】
【００１１】
【図１】図１は、本発明にかかるパワーコンディショナが用いられる太陽光発電システムの要部構成を示すブロック図である。
【図２】図２は、本発明の一実施の形態として、図１に示すパワーコンディショナの要部構成を示すブロック図である。
【発明を実施するための形態】
【００１２】
以下に、本発明にかかるパワーコンディショナの実施の形態を図面に基づいて詳細に説明する。なお、この実施の形態によりこの発明が限定されるものではない。
【００１３】
実施の形態
図１は、本発明にかかるパワーコンディショナが用いられる太陽光発電システムの要部構成を示すブロック図である。図２は、本発明の一実施の形態として、図１に示すパワーコンディショナの要部構成を示すブロック図である。
【００１４】
まず、図１に沿って太陽光発電システムについて簡単に説明する。図１において、太陽光発電システムは、太陽電池モジュール１と接続箱２とパワーコンディショナ３と分電盤４とを備え、負荷５と交流電力系統６は、それぞれ分電盤４を介してパワーコンディショナ３に接続される構成である。
【００１５】
太陽電池モジュール１は、多数の太陽電池を直並列に接続し所定の発電出力が得られるようにしたものである。住宅の例で言えば、太陽電池モジュール１は、所定数が住宅の屋根上に配置される。接続箱２とパワーコンディショナ３と分電盤４とは、それぞれ住宅の壁や宅内などの所定位置に配置される。
【００１６】
すなわち、多数の太陽電池モジュール１にて並列に発電された多数の直流電力は、接続箱２にて１つの所定値の発電電力に集電され、パワーコンディショナ３に入力される。パワーコンディショナ３は、入力された直流電力を交流電力へ変換する。パワーコンディショナ３の交流出力は、分電盤４を介して負荷５と交流電力系統６とに供給される。
【００１７】
負荷５は、照明器具や冷蔵庫、洗濯機、掃除機等の宅内電気機器やモータなどの宅外電気機器である。そして、負荷５で消費しきれず、余剰電力が発生した場合は、パワーコンディショナ３の交流出力端は、分電盤４を介して交流電力系統６にも接続（連系）され、その余剰電力が交流電力系統６に逆潮流される。
【００１８】
ここで、この太陽光発電システムの住宅への設置工事は、次のような手順で行われる。まず、屋根の上に必要数の太陽電池モジュール１を設置し、それぞれの出力ケーブルの先端を住宅の軒下あるいは住宅内に設置した接続箱２の入力部に接続する。接続箱２は、複数の入力を１出力にまとめて出力する集電機能を有している。接続箱２の出力部は、正極出力端と負極出力端とで構成されるので、正極側と負極側との対ケーブルの一端を接続箱２の出力部に接続する。そして、その対ケーブルの他端を、パワーコンディショナ３が配置される住宅内に引き込み、パワーコンディショナ３の入力部に接続する。
【００１９】
この接続工事では、パワーコンディショナ３の入力部は、正極入力端と負極入力端とで構成されるので、引き込んだ対ケーブルの他端を、極性を間違えないように、パワーコンディショナ３の入力部に接続する必要がある。
【００２０】
また、パワーコンディショナ３の出力端は、住宅内に設置されている分電盤４に接続される。分電盤４では、交流電力系統６がケーブル接続され、また、パワーコンディショナ３の出力端を交流電力系統６に連系させるためのブレーカをケーブルにて接続する。これらには交流が流れる。
【００２１】
したがってこの接続工事では、パワーコンディショナ３の入力部に、接続箱２側の対ケーブルを接続せず、間違って分電盤４から交流電力系統６に繋がるケーブルを接続しないようにしなければならない。
【００２２】
本実施の形態では、図２に示すように、上記のように太陽光発電システムの設置工事において、パワーコンディショナの入力部に、逆極性の直流電力や交流電力が印加される誤接続が発生しても、内部素子の破壊や故障の発生を防止し、かつ誤接続状態を報知して確実に修復させ得る保護機能を、簡単かつ安価な構成により実現した。図２を参照して具体的に説明する。なお、パワーコンディショナの一般的な構成と動作については、よく知られているので、その説明を割愛し、ここでは本実施の形態に関わる部分である「設置工事において誤接続が発生した場合に内部素子の破壊や故障の発生を防止し誤接続状態を報知して確実に修復させ得る保護機能」を中心に説明する。
【００２３】
図２において、パワーコンディショナ３は、一般に、入力端子部１０と、コンバータ１１と、インバータ１２と、出力フィルタ１３と、連系開閉器１４と、交流開閉器１５と、出力端子部１６と、制御手段としての制御回路１７と、報知手段１８とを備えている。
【００２４】
入力端子部１０には、太陽電池モジュール１の直流出力電力が図示省略した接続箱を介して入力される。コンバータ１１は、入力端子部１０に印加される直流電力を別の値の直流電力へ変換するＤＣ／ＤＣ変換機能を有している。インバータ１２は、ＦＥＴやＩＧＢＴなどの半導体スイッチング素子にて構成され、それらのスイッチング動作により、コンバータ１１から入力される直流電力を交流電力へ変換する。出力フィルタ１３は、リアクトルとコンデンサとの組み合わせで構成され、インバータ１２が出力する階段状の交流波形を正弦波状の交流波形に整形する。
【００２５】
パワーコンディショナ３の電力変換部は、コンバータ１１とインバータ１２と出力フィルタ１３との全体により形成され、出力フィルタ１３から出力されるその変換出力は、連系開閉器１４および交流開閉器１５を介して出力端子部１６に出力される。出力端子部１６には、図示例では交流電力系統６が接続される。
【００２６】
図２では、制御回路１７の制御系の図示を省略したが、制御回路１７は、プログラム制御により、コンバータ１１でのスイッチング素子１１ａのオン・オフ制御によるＤＣ／ＤＣ変換動作と、インバータ１２でのＰＷＭ制御によるスイッチング動作指令の生成によるＤＣ／ＡＣ変換動作と、連系開閉器１４および交流開閉器１５の開閉制御とを行う。なお交流開閉器１５は、例えば交流電力系統６が停電した場合に、その交流電力系統６との接続を開路してインバータ１２を交流電力系統６から開放し、自立運転へ移行できるようにするため設けられている。
【００２７】
また、パワーコンディショナ３の操作部（図示せず）には、パワーコンディショナ３を起動、停止させるための運転・停止スイッチや、連系運転モード・自立運転モードの切換スイッチが設けられ、制御回路１７は、それらの操作内容に従ってパワーコンディショナ３の運転を制御する。
【００２８】
また、図示してないが、出力端子部１６からの出力電圧と出力電流を測定するセンサ回路が設けられ、制御回路１７は、そのセンサ回路からの測定値により、交流出力電力値を演算するとともに、それを積算して交流出力電力量を求め、メモリに記憶する。
【００２９】
そして、報知手段１８は、表示器とブザーの両方で構成される。制御回路１７は、その表示器に、パワーコンディショナ３の運転状態や、演算した交流出力電力値、メモリに記憶させた交流出力電力量などの運転データを表示する。また、制御回路１７は、正常な運転ができない場合、非常停止してブザーを鳴動させ、報知できるようになっている。
【００３０】
以上の一般的な構成において「太陽光発電システムの設置工事において誤接続が発生した場合に内部素子の破壊や故障の発生を防止し誤接続状態を報知して確実に修復させ得る保護機能」を実現する構成として、入力端子部１０の正極端（＋）とコンバータ１１の対応する入力端との間を、逆流防止素子（ダイオード）１９と電流制限素子（抵抗器）２０との直列回路を介して接続するとともに、開閉手段（リレー）２１を介して接続する。開閉手段２１の初期状態は、開路状態である。つまり、パワーコンディショナ３の電源オフ時では、開閉手段２１は、開路状態である。
【００３１】
そして、入力端子部１０の正極側端子（＋）と負極側端子（−）との間に印加される電圧を計測する第１の電圧センサ２２と、コンバータ１１からインバータ１２に入力される直流電力の電圧（母線電圧）を計測する第２の電圧センサ２３とを設けてある。加えて、制御回路１７に、第１の電圧センサ２２および第２の電圧センサ２３の計測値に基づき、開閉手段２１を制御する機能と、コンバータ１１およびインバータ１２の起動・非起動を行う機能と、開閉手段２１を開路状態に維持させる場合に報知手段１８にその内容を報知させる機能とを追加してある。
【００３２】
以下、「太陽光発電システムの設置工事において誤接続が発生した場合に内部素子の破壊や故障の発生を防止し誤接続状態を報知して確実に修復させ得る保護機能」について説明する。
【００３３】
まず、パワーコンディショナ３の入力端子部１０に、接続箱２側の対ケーブルを接続せず、間違って分電盤４から交流電力系統６に繋がるケーブルが接続されてしまった場合、この段階ではパワーコンディショナ３の動作電源はオフ状態である。また、開閉手段２１は開路状態にある。よって、コンバータ１１の入力端には、逆流防止素子１９と電流制限素子２０の直列回路を通して交流電圧が印加される。しかし、逆流防止素子１９は、交流の正極側半サイクルを通すが、負極側半サイクルは通さない。
【００３４】
パワーコンディショナ３の電源オフ時では、コンバータ１１のスイッチング素子１１ａはオフしているので、逆流防止素子１９を流れる交流の正極側半サイクル分の電流によって、電流制限素子２０、リアクトル１１ｂおよび出力ダイオード１１ｃを介して、オフ状態にあるインバータ１２の入力段に設けられた母線コンデンサ１２ａが充電される。
【００３５】
したがって、誤接続に気付かずにパワーコンディショナ３の動作電源をオンしても、コンバータ１１には逆極性の電圧は印加されない。また、入力端子部１０に印加された交流電圧は、第１の電圧センサ２２にて検知計測されその情報が制御回路１７に入力される。同時に、母線コンデンサ１２ａの充電電圧が、第２の電圧センサ２３にて検知計測されその情報が制御回路１７に入力される。第２の電圧センサ２３にて検知計測される母線コンデンサ１２ａの充電電圧は、直流電圧である。
【００３６】
制御回路１７は、第１の電圧センサ２２の検知電圧が交流信号となるので、検知計測された電圧情報に基づき交流接続という誤接続を認識することができる。これによって、制御回路１７は、開閉手段２１を開路状態に維持制御し、コンバータ１１およびインバータ１２を起動しないようにすることができる。よって、内部素子の破壊や故障を防止することができる。
【００３７】
また、制御回路１７は、並行して交流接続という誤接続による異常を報知手段１８の表示器にエラーメッセージとして表示出力し、報知手段１８のブザーを鳴動させて警報を発し、作業者に報知する。この場合、表示器のエラーメッセージやブザーの鳴動内容によって、どのような誤接続が発生したか、今の例では、交流接続という誤接続が発生したことが判るようになっているので、作業者は、迅速かつ確実に誤接続の解消を図ることができる。
【００３８】
次に、パワーコンディショナ３の入力端子部１０に、接続箱２側の対ケーブルが接続されたが、極性が逆に接続されてしまった場合、この段階ではパワーコンディショナ３の動作電源はオフ状態である。また、開閉手段２１は開路状態にある。よって、コンバータ１１の入力端には、逆流防止素子１９と電流制限素子２０の直列回路を通して逆極性の直流電圧が印加される。しかし、逆流防止素子１９は、正極の直流電圧は通すが、負極の直流電圧は通さない。オフ状態にあるインバータ１２の入力段に設けられた母線コンデンサ１２ａは充電されない。
【００３９】
したがって、誤接続に気付かずにパワーコンディショナ３の動作電源をオンしても、コンバータ１１には逆極性の直流電圧は印加されない。また、入力端子部１０に印加された逆極性の直流電圧は、第１の電圧センサ２２にて検知計測され、その情報が制御回路１７に入力される。同時に、母線コンデンサ１２ａの充電電圧が、第２の電圧センサ２３にて検知計測されその情報が制御回路１７に入力される。第２の電圧センサ２３にて検知計測される母線コンデンサ１２ａの充電電圧は、ゼロの近い低い電圧である。
【００４０】
そうすると、制御回路１７は、逆極性接続という誤接続を認識できるので、開閉手段２１を開路状態に維持制御し、コンバータ１１およびインバータ１２を起動しない。これによって、内部素子の破壊や故障を防止することができる。
【００４１】
また、制御回路１７は、並行して逆極性接続という誤接続による異常を報知手段１８の表示器にエラーメッセージとして表示出力し、報知手段１８のブザーを鳴動させて警報を発し、作業者に報知する。この場合、表示器のエラーメッセージやブザーの鳴動内容によって、どのような誤接続が発生したか、今の例では逆極性接続という誤接続が発生したことが判るようになっているので、作業者は、迅速かつ確実に誤接続の解消を図ることができる。
【００４２】
さて、設置工事が正しく行われ、パワーコンディショナ３の入力端子部１０に、接続箱２側の対ケーブルが極性正しく接続された場合、この段階ではパワーコンディショナ３の動作電源はオフ状態である。また、開閉手段２１は開路状態にある。よって、コンバータ１１の入力端には、逆流防止素子１９と電流制限素子２０の直列回路を通して正極性の直流電圧が印加される。
【００４３】
コンバータ１１では、スイッチング素子１１ａはオフ状態であるが、逆流防止素子１９と電流制限素子２０の直列回路を通して入力された直流電流は、リアクトル１１ｂ、出力ダイオード１１ｃを介して、オフ状態にあるインバータ１２の入力段に設けられた母線コンデンサ１２ａを充電する。電流制限素子２０はこの場合の充電電流を制限し無用な突入電流の発生を防止するためのものである。
【００４４】
パワーコンディショナ３の動作電源がオンになると、第１の電圧センサ２２が入力端子部１０に印加された直流電圧の大きさと極性とを検知計測し制御回路１７に与える。同時に、第２の電圧センサ２３がインバータ１２の入力電圧である母線コンデンサ１２ａの充電電圧を検知計測し制御回路１７に与える。
【００４５】
制御回路１７は、第１の電圧センサ２２が検知計測した電圧は直流でかつ正極性であるから、第１の電圧センサ２２が検知計測した電圧値と第２の電圧センサ２３が検知計測した電圧値とを比較する。
【００４６】
ここで、第１の電圧センサ２２が検知計測したコンバータ入力電圧と第２の電圧センサ２３が検知計測したインバータ入力電圧との電位差は、逆流防止素子１９、電流制限素子２０、リアクトル１１ｂおよび出力ダイオード１１ｃの経路における電圧降下分に相当する。
【００４７】
そして、母線コンデンサ１２ａへの充電がある程度進んでくると、第１の電圧センサ２２が検知計測した電圧値と第２の電圧センサ２３が検知計測した電圧値との差がゼロに向かって小さくなる。すなわち、逆流防止素子１９と電流制限素子２０との直列回路の両端間の電位差が小さくなったことがわかる。
【００４８】
そこで、制御回路１７は、第１の電圧センサ２２からの電圧値と第２の電圧センサ２３からの電圧値との差がゼロに向かって小さくなる途中に定めた或る値よりも小さくなったときに、開閉手段２１を閉路させる。これによって、太陽電池モジュール１側からの入力電流は逆流防止素子１９と電流制限素子２０の直列回路を流れずに開閉手段２１側にバイパスして流れることになる。その後、制御回路１７は、コンバータ１１やインバータ１２に対してスイッチング動作の指令を出す。これによって、パワーコンディショナとしての電力変換動作が実行される。
【００４９】
すなわち、パワーコンディショナとしての電力変換動作時においては、開閉手段２１が閉路して太陽電池モジュール１側からの入力電流は逆流防止素子１９と電流制限素子２０の直列回路を流れないので、逆流防止素子１９と電流制限素子２０の直列回路での損失発生を無くすことができる。これによって、保護機能付加によるパワーコンディショナの電力変換効率の低下が防止される。
【００５０】
また、逆流防止素子１９と電流制限素子２０の直列回路の両端の電位差が所定値よりも小さくなってから開閉手段２１を閉路させるので、開閉手段２１として用いるリレーの接点に経年的に生ずる劣化（接点の転移、溶着など）を防止することができる。
【００５１】
そして、開閉手段２１としては、必要以上の接点定格のリレーを使わなくとも済むようになるので、保護回路部の小型化、抵抗コスト化が図れるという効果も得られる。
【００５２】
以上説明したように、本実施の形態によるパワーコンディショナによれば、太陽光発電システムの設置工事において誤接続があっても、開閉手段を閉路させずにコンバータおよびインバータを不動作とするので、簡単かつ安価な構成により破損や故障の発生を防止できる。そして、誤接続状態をどのような誤接続が発生したかを識別できるように報知するので、作業者は迅速かつ確実に修復することができるようになる。
【００５３】
なお、この明細書では、外部直流電源を用いた直流発電システムとして、太陽電池を用いた発電システムを示したが、本発明にかかる誤接続に対する保護機能を備えたパワーコンディショナは、燃料電池を用いた直流発電システムで用いるパワーコンディショナにも同様に適用することができることは言うまでもない。
【産業上の利用可能性】
【００５４】
以上のように、本発明にかかるパワーコンディショナは、外部直流電源を用いた直流発電システムの設置工事において誤接続が発生しても、簡単かつ安価な構成により、内部素子の破壊や故障の発生を防止し、かつ誤接続状態を報知して確実に修復させ得る保護機能を備えたパワーコンディショナとして有用である。
【符号の説明】
【００５５】
１  太陽電池モジュール（外部直流電源）、２  接続箱、３  パワーコンディショナ、４  分電盤、５  負荷、６  交流電力系統、１０  入力端子部、１１  コンバータ、１２  インバータ、１３  出力フィルタ、１４  連系開閉器、１５  交流開閉器、１６  出力端子部、１７  制御回路、１８  報知手段、１９  逆流防止素子、２０  電流制限素子、２１  開閉手段、２２  第１の電圧センサ、２３  第２の電圧センサ。
【図１】
2015100250.tif 000003
【図２】
2015100250.tif 000004